(57)【要約】【課題】軽量であり、内部容器と外装材とが別体であり、耐荷重が５００Ｎ超である、外装材を提供する。【解決手段】内部容器を収容可能な外装材であって、前記外装材は、プラスチック材料により形成されており、内部容器の全長と略等しい長さの外筒部と、該外筒部から内部容器の首部に向けて収束するように伸びた面状部とを有し、耐荷重５００Ｎ超であることを特徴とする外装材。【選択図】図２ｂ
2020121738.tif 000002
【特許請求の範囲】
【請求項１】
内部容器を収容可能な外装材であって、
前記外装材は、プラスチック材料により形成されており、
内部容器の全長と略等しい長さの外筒部と、該外筒部から内部容器の首部に向けて収束するように伸びた面状部とを有し、
耐荷重５００Ｎ超であることを特徴とする外装材。
【請求項２】
前記面状部の上面および／または下面にリブを備える請求項１に記載の外装材。
【請求項３】
前記面状部の形状が、平面または内部容器の肩部に沿った曲面である、請求項１または２に記載の外装材。
【請求項４】
前記リブが、円状リブおよび／または縦リブである、請求項１〜３のいずれかに記載の外装材。
【請求項５】
前記円状リブの数が、１〜３本である、請求項４に記載の外装材。
【請求項６】
前記縦リブの数が、６〜１６本である、請求項４に記載の外装材。
【請求項７】
前記面状部が縮径方向端部にリング状部を備えており、該リング状部の垂直方向長さが２ｍｍ以上１５ｍｍ以下である、請求項１〜６のいずれかに記載の外装材。
【請求項８】
前記外筒部が、円錐形状である、請求項１〜７のいずれかに記載の外装材。
【請求項９】
前記プラスチック材料の引張弾性率が、１２００ＭＰａ以上である、請求項１〜８のいずれかに記載の外装材。
【請求項１０】
内部容器、および、該内部容器を収容する請求項１〜８の外装材からなる、複合容器。
【発明の詳細な説明】
【技術分野】
【０００１】
本願は、液体を充填したボトル等の容器を収納するための外装材に関する。
【背景技術】
【０００２】
ビール等の炭酸飲料を料飲店や販売業者等へ、大容量で輸送する際に使用する容器として、液体が充填された内部容器と外装材とが一体となっているステンレス製の樽が使用されてきた。
【０００３】
上記のステンレス製の樽は、飲料製造メーカーで充填を行った後、保管や輸送に耐え得る強度を備え、且つ充填した液体の品質保持のための遮光性も有している利点があるが、重量が大きく、取り扱いづらいといった欠点もある。その中で、取り扱い時の負担を軽減するために、上記利点を損なうことなく、重量を軽量化することが求められている。
【０００４】
特許文献１には、内部容器と外装材とが一体となっているプラスチック製の容器が記載されている。
【０００５】
また、一部の市場において、内部容器を収容する外装材として、上部構造体とプラスチック段ボールからなる筒状体の組み合わせからなる輸入製品が用いられている。
【先行技術文献】
【特許文献】
【０００６】
【特許文献１】特表２００４−５２０２３２号公報
【発明の概要】
【発明が解決しようとする課題】
【０００７】
重量を軽量化するためには、容器の材質をステンレスからプラスチックへ変更することで大幅な効果が見られる。また収容した液体の品質保持のため、特に、炭酸飲料を収容した場合においては、内部容器にガスバリア膜を形成することが必要となる。しかし、内部容器にガスバリア膜を形成するには、内部容器と外装材とが別体であることが必要であり、特許文献１に記載の容器では、ガスバリア膜を形成することが難しい。
【０００８】
また、図１に示すように、上記ステンレス製の樽１０に液体を充填する際には、樽１０の開口部を下へ向け、樽１０の底部に上側から、クランプ２０により荷重をかけながら、液体が充填される。このクランプ２０により樽１０には５００Ｎを超える荷重がかかる。プラスチック製の容器を使用した場合においても、同じ設備により液体を充填できることが好ましい。よって、内部容器を収容する外装材には、この荷重に耐え得る強度が求められる。
【０００９】
しかしながら、上記の輸入製品は、内部容器の首部のリング部分を左右から挟んで固定する水平方向分割型の上部構造体と、筒状体のプラスチック段ボールとの組み合わせからなり、その耐荷重は５００Ｎ程度で不十分であった。
【００１０】
上記に鑑み、本願は、軽量であり、内部容器と外装材とが別体であり、耐荷重が５００Ｎ超である、外装材を提供することを課題とする。
【課題を解決するための手段】
【００１１】
上記課題を解決すべく、本願は、第１の形態として、内部容器を収容可能な外装材であって、前記外装材は、プラスチック材料により形成されており、内部容器の全長と略等しい長さの外筒部と、該外筒部から内部容器の首部に向けて収束するように伸びた面状部とを有し、耐荷重５００Ｎ超であることを特徴とする外装材を開示する。
【００１２】
第１の形態において、前記面状部の上面および／または下面にリブを備えることが好ましい。
【００１３】
第１の形態において、前記面状部の形状が、平面または内部容器の肩部に沿った曲面であることが好ましい。
【００１４】
第１の形態において、前記リブが、円状リブおよび／または縦リブであることが好ましい。
【００１５】
第１の形態において、前記円状リブの数が、１〜３本であることが好ましい。
【００１６】
第１の形態において、前記縦リブの数が、６〜１６本であることが好ましい。
【００１７】
第１の形態において、前記面状部が縮径方向端部にリング状部を備えており、該リング状部の垂直方向長さが２ｍｍ以上１５ｍｍ以下であることが好ましい。
【００１８】
第１の形態において、前記外筒部が、円錐形状であることが好ましい。
【００１９】
第１の形態において、前記プラスチック材料の引張弾性率が、１２００ＭＰａ以上であることが好ましい。
【００２０】
本願は、第２の形態として、内部容器、および、該内部容器を収容する第１の形態の外装材からなる、複合容器を開示する。
【発明の効果】
【００２１】
本願の外装材は、軽量であり、内部容器と外装材とが別体であり、耐荷重が５００Ｎ超である。
【図面の簡単な説明】
【００２２】
【図１】図１は樽１０に液体を充填する際の様子を示す模式図である。
【図２ａ】図２ａは、外装材２００の断面図および正面図である。
【図２ｂ】図２ｂは、外装材２００の斜視図である。
【図２ｃ】図２ｃは、外装材２００の別角度からの斜視図である。
【発明を実施するための形態】
【００２３】
＜外装材２００＞
本開示の外装材２００は、飲料等の液体を収容した内部容器１００の全長と略等しい長さの外筒部２２０と、該外筒部２２０から内部容器１００の首部に向けて収束するように伸びた面状部２４０とを有する。外筒部２２０が内部容器１００の全長と略等しい長さであるため、図２ａの内部容器１００を収容した外装材２００の正面図においては、内部容器１００の全体を外装材２００が覆って見える。外装材２００は、内部容器１００の底面や上面をも覆った形態でもよく、その場合は、外装材２００に内部容器１００を収容する際や、収容した内部容器１００に液体を充填する際に、底面や上面を開閉できるとよい。
【００２４】
また、「略等しい」とは、外筒部２２０が内部容器１００の全長（フタ、キャップなどを含んだ全長）と同じ、また好ましくは、外筒部２２０の上下方向それぞれに内部容器の全長の５％以下の余分な長さを有することをいう。
該余分な長さを有することにより、液体充填工程のクランプ２０により荷重が負荷される際に内部容器１００に荷重がかかることなく保護できる。また、外装材２００を上下に複数段済みして重ねる場合の都合、および／または、上面および／または下面を開閉できるように覆う場合の都合なども考慮して、その長さが選定される。
なお、外装材２００を上下方向に不必要に大きくしない観点から、外筒部２２０は、上下方向にそれぞれ内部容器の全長の５％以下の余分な長さを有することが好ましく、それぞれ４％以下の余分な長さを有することがより好ましい。なお、該余分な長さの下限としては、段積みする都合などの点から、０．５％以上が好ましく、１％以上がより好ましい。
【００２５】
また、外装材２００は、分割不能な一部材から構成される「一体型」でもよく、複数の部材から構成されるものであってもよい。強度の点から一体型が好ましく、外装材２００の底部にしっかりと荷重がかかり、液体充填の場合も、内部容器１００を収容した外装材２００を複数重ねた場合も、容器が潰れることが防止される。
【００２６】
図２ａは、本開示の外装材２００の断面図および正面図である。左半分が断面図であり、右半分が正面図である。正面図では、内部容器１００の外形を併せて示している。図２ｂは、外装材２００の斜視図、図２ｃは、別角度からの斜視図である。なお、図２ｃでは、外装材２００に内部容器１００が収容された状態を示しており、内部容器１００の首部１２０にストッパー３００が係合されて、内部容器１００と外装材２００とが固定されている。
【００２７】
図２ａに示した外装材２００の下面は開口２７０となっている。該開口２７０から内部容器１００が挿入される。内部容器１００の首部１２０は、外装材２００の面状部２４０の中心に形成された開口２６０より外装材２００の上方向に露出される。首部１２０には、ストッパー３００が係合され、外部容器２００と内部容器１００とが固定される。なお、ここでの「上方向」とは、図２ａにおける紙面上方向である。
【００２８】
（外装材２００の機能）
外装材２００に収容した内部容器１００に液体を充填する際には、図１において示したように、上側からクランプ２０により荷重がかけられる。外装材２００は該荷重から内部容器１００を保護する機能を有している。
【００２９】
図１において示した設備により液体を充填する際に、圧力をかけて液体を充填しているため、内部容器１００が破裂する可能性がある。本開示の外装材２００は、収容した液体や、破裂した内部容器１００の一部が周辺に飛散するのを防止する機能を有する。
【００３０】
外装材２００は、内部容器１００に搬送性を付与する機能を有している。この点から、図２ｂに示すように、外装材２００には、持ち手２９０が形成されていることが好ましい。
【００３１】
また、例えば、ビールを充填した容器を、飲食店において保管する場合、限られたスペースに効率よく保管すべく、複数を重ねて段積みして保管できることが要望される。よって、内部容器１００を収容した外装材２００には、複数を重ねて保存できる強度と構造を備えていることが好ましい。本開示の外装材２００は、少なくとも３段重ねできるような強度を備えていることが好ましい。また、図２ｂに示すように、外装材２００は、段積みされる他の外装材２００の下端部を保持する受け部２８０が形成されていることが好ましい。これにより、内部容器１００を収容した外装材２００を複数重ねて保存することが可能となる。このように、外装材２００は、複数を重ねて保管した際においても、内部容器１００を保護する機能を有する。
【００３２】
内部容器１００が収容している液体の品質を保持するために、内部容器１００は遮光されていることが好ましい。本開示の外装材２００を形成するプラスチック材料に顔料を配合する等により、内部容器１００を遮光する機能を有する。
【００３３】
（内部容器１００）
図２ａに示すように、本開示の外装材２００は、内部容器１００の全長と略等しい長さを有し、内部容器１００を保護している。内部容器１００の形状は、液体を充填できるのであれば、特に限定されないが、例えば、図２ａにその外形が示されているような、ボトル形状を挙げることができる。
【００３４】
ボトルは、首部、肩部、胴部、底部を備えている。内部容器１００を外装材２００に収容した際に、首部１２０は、外装材２００の面状部２４０の中心に設けられた開口２６０から外装材２００の上方向に露出される。外装材２００と内部容器１００との固定は、図２ｃに示したように、外装材２００の上側に露出した内部容器１００の首部１２０にストッパー３００を係合させることにより、行うことができる。
【００３５】
ストッパー３００の形状は、首部１２０を外装材２００に固定できれば、特に限定されない。例えば、図２ｃに示したような、首部１２０に側面から係合して固定する英字のＣ字形状のストッパー３００であってもよいし、左右から挟んで首部１２０を保持する形態であってもよいし、あるいは、リング状の弾性部材を首部１２０にはめ込んで固定する形態であってもよい。
【００３６】
内部容器１００には液体が充填される。液体の種類は特に限定されず、例えば、ビール、ワイン、水、清涼飲料等が挙げられる。内部容器１００は、従来のステンレス製の樽の代替として使用されるものであるので、大容量ボトルであることが好ましく、例えば、５〜３０Ｌの容量を有している。使い勝手や輸送効率の点から、１０〜２０Ｌの容量が好ましい。
【００３７】
内部容器１００の材料は、特に制限されないが、一般に、飲料や調味料用途に用いられているプラチックが好ましい。例えば、ポリエチレン樹脂、ポリプロピレン樹脂、ポリエステル樹脂等が挙げられる。
【００３８】
収容する液体の品質を保持するために、内部容器１００にはガスバリア膜が形成されていることが好ましい。ガスバリア膜の組成は、特に限定されないが、例えば、炭素含有膜、アルミニウム含有膜、珪素含有膜等の無機膜が挙げられ、中でもガスバリア性、透明性の点からダイアモンド・ライク・カーボン膜、酸化珪素含有膜が好ましく、単独または２種類以上の混合物であってもよい。ガスバリア膜の形成方法は、特に限定されず、化学蒸着法等の従来公知の方法を採用することができる。
内部容器１００にガスバリア膜を形成させることにより、プラスチック樹脂からなる内部容器１００の厚みを低減できると共に、収容する液体の変質防止や、炭酸ガスや香味の低減防止が可能となる。
【００３９】
（プラスチック材料）
外装材２００は、プラスチック材料により形成されている。これにより、外装材２００を軽量化することができる。ただし、上記したように、液体充填時のクランプ２０による荷重に耐えるため、および、内部容器１００を収容した外装材２００を複数重ねて保存するために、本開示の外装材２００は、後述の特定の構造であることにより、耐荷重性を有する。
【００４０】
プラスチック材料の引張弾性率は、好ましくは１２００ＭＰａ以上であり、より好ましくは１３５０ＭＰａ以上、さらに好ましくは２０００ＭＰａ以上、さらに好ましくは２３００ＭＰａ以上、さらに好ましくは６０００ＭＰａ以上、特に好ましくは６２００ＭＰａ以上である。
【００４１】
また、プラスチック材料の引張降伏応力は、好ましくは２０ＭＰａ以上、より好ましくは２５ＭＰａ以上、さらに好ましくは５０ＭＰａ以上、さらに好ましくは６０ＭＰａ以上、さらに好ましくは８０ＭＰａ以上、特に好ましくは９３ＭＰａ以上である。
プラスチック材料の引張弾性率、引張降伏応力の値が高いと、外装材２００の耐荷重性が強まり、外装材２００の厚みの低減や、外装材２００の補強構造の軽減をすることができ、外装材２００を軽量化できるため好ましい。
【００４２】
プラスチック材料の具体例としては、ポリプロピレン、ポリカーボネート、ポリフェニレンサルファイド、ポリエーテルイミド等を挙げることができ、グラスファイバー等の無機剤を充填して用いることもできる。中でも、成形性、強度、価格のバランスの点からポリプロピレンの使用が好ましい。例えば、ポリプロピレンに無機剤を充填する場合は、充填後の材料全体を基準（１００質量％）として、無機剤を５〜５０質量％とすることが、成形性、強度、価格のバランスの点から好ましい。
【００４３】
（外筒部２２０）
外装材２００は、外筒部２２０と面状部２４０とを有している。面状部２４０は、内部容器１００を収容した際に、外筒部２２０から内部容器１００の首部１２０に向けて収束するように形成された部材である。説明のために、面状部２４０が形成された位置から上側を上部外筒部２２４とし、下側を下部外筒部２２２とする。
【００４４】
外装材２００は、内部容器１００を保護する機能を有するため、少なくとも内部容器１００の全長（図２ａの内部容器１００の紙面上下方向の長さ）を覆う長さを有していることが好ましい。外筒部２２０は、内部容器１００の全長と略等しい長さを有していることが、不必要に外装材２００を大きくしない点から好ましい。
【００４５】
外筒部２２０は、内部容器１００を内部に収容すべく、内部容器１００の胴部の外径よりも大きな内径を有している必要がある。なお、外筒部２２０は、内部容器１００の胴部の外径に略等しい内径を有していることが、不必要に外装材２００を大きくしない点から好ましく、また、内部容器１００が外装材２００内部にて、揺れ動くことを防ぐ点からも好ましい。外筒部２２０の水平断面形状は、円や多角形のいずれでもよい。
また、下部外筒部２２２の側面に垂直方向のリブを、円周方向に等間隔に複数本有すると、外装材２００の強度向上の点で好ましい。当該リブは下部外筒部２２２の内面および／または外面に形成できるが、内部容器１００との接触を避けるため外面に形成することが好ましい。
【００４６】
下部外筒部２２２には、図２ａの紙面上方向に行くにしたがって径が小さくなるように、テーパーが形成されていることが好ましい。これにより、外装材２００を製造する際における型抜きが容易となり、また、外装材２００の強度（耐荷重性）を向上することできる。テーパーは、０．２度〜２．０度とすることが好ましい。
【００４７】
図２ｂに示すように、上部外筒部２２４には、上記したように、外装材２００に搬送性を付与すべく、持ち手２９０が形成されていることが好ましく、また、重ねて保管する際において、下部外筒部２２２の下端部を保持することができる受け部２８０が形成されていることが好ましい。また、上部外筒部２２４の下端には、面状部２４０の上にたまった水を排出するための水抜き孔が形成されていることが好ましい。
【００４８】
（面状部２４０）
外装材２００は、上記外筒部２２０から内部容器１００の首部１２０に向けて収束するように伸びた面状部２４０を有している。面状部２４０は、外筒部２２０から径が収縮する方向に延び、収縮方向の端部が内部容器１００の首部１２０に位置している。
【００４９】
面状部２４０の中心には開口２６０が形成されており、該開口２６０は、内部容器１００の首部１２０が通る大きさである必要があり、また、内部容器１００の首部１２０を通した後、ストッパー３００を係合した後は、該ストッパーが通らない大きさである必要がある。
【００５０】
面状部２４０の形状は、平面あるいは内部容器１００の肩部に沿った曲面であることが好ましい。より具体的には、面状部２４０は、平面の場合は、内部容器１００の首部１２０を通す開口２６０を中心に有する平面状の円盤である。該円盤は、その円盤の外周において外筒部２２０と接続している。
【００５１】
また、面状部２４０が肩部に沿った曲面の場合は、面状部２４０は、上底と下底を有さない略円錐台形状であり、上底の開口２６０に内部容器１００の首部１２０が通され、下底の外周において外筒部２２０と接続している。また、略円錐台形状の側面は、内部容器１００の肩部に沿った曲面を有している。図２ａに、内部容器１００の肩部に沿った曲面を有する面状部２４０を示した。面状部２４０が肩部に沿った曲面の場合は、面状部２４０にかかる荷重を分散させることができる。
【００５２】
面状部２４０は縮径方向端部にリング状部２４２を備えていることが好ましい。該リング状部２４２の垂直方向長さは、２ｍｍ以上１５ｍｍ以下であることが好ましい。該リング状部２４２を形成することにより、外装材２００に高い耐荷重性を付与することができる。
リング状部２４２の垂直方向長さは、外装材２００の耐荷重性をより高くする観点から、４ｍｍ以上であることが好ましく、８ｍｍ以上であることがより好ましい。また、外装材２００の軽量化の点から、１２ｍｍ以下であることが好ましい。
【００５３】
（リブ）
外装材２００は、面状部２４０の上面または下面、あるいは、上面および下面の両方にリブを備えることが好ましい。これにより、外装材２００により高い耐荷重性を付与できる。図２ａ〜図２ｃは、内部容器１００の肩部に沿った曲面を有する面状部２４０の上面に、１２本の縦リブ２４４を形成した形態を示している。
【００５４】
リブの形態としては、縦リブ、円状リブを挙げることができ、これらを組み合わせて形成することもできる。縦リブ２４４とは、図２ｂに示したように、外筒部２２０から面状部２４０の縮径方向端部（図２ｂでは、縮径方向端部のリング状部２４２）に渡って形成された壁である。縦リブ２４４の数は、特に限定されないが、耐荷重性の付与と、外装材２００の軽量化の観点から、６本以上１６本以下が好ましく、８本以上１４本以下がより好ましい。
【００５５】
円状リブとは、面状部２４０に同心円状に形成した円筒状の壁である。円状リブの数も特に限定されないが、外装材２００の軽量化の観点から、３本以下が好ましい。
【００５６】
本開示の外装材２００の耐荷重は５００Ｎ超であり、好ましくは１０００Ｎ以上、より好ましくは１５００Ｎ以上、さらに好ましくは２０００Ｎ以上の耐荷重性を有する。
上記の耐荷重性とは、図１に示すような液体充填装置を用い、クランプ２０による荷重が負荷された際において、外装材２００が変形や損傷することなく形状を維持できることを意味する。また、耐荷重とは、外装材２００が耐荷重性を示す負荷荷重をいう。耐荷重性を有するには、荷重が負荷された際の外装材２００の最大応力が、外装材を構成する材料の引張降伏応力未満であることが条件であり、そのためには上述した構造の特徴によって外装材２００の最大応力が小さくなるようにする必要がある。
【００５７】
＜外装材２００の製造方法＞
外装材２００は、射出成形により製造することができる。射出成形により複数の部材を製造し、これらを接着及び／又は組立により外装材２００を形成してもよいが、強度（耐荷重性）の点から、外装材２００全体を、一度に射出成形により形成することが好ましい。
【００５８】
射出成形の際の型抜きをし易くする観点から、下部外筒部２２２は、上方向に行くに従って縮径するテーパーを形成することが好ましい。外装材２００の厚み（外筒部２２０、面状部２４０、リブ２４４、リング状部２４２それぞれの厚み）は、耐荷重性の点から、好ましくは０．５ｍｍ以上、より好ましくは１ｍｍ以上であり、外装材２００の軽量化の点から、好ましくは５ｍｍ以下、より好ましくは３ｍｍである。
【００５９】
外装材２００の重さは、外装材２００の大きさにより様々であるが、５〜３０Ｌの内部容器１００を収容する外装材２００の場合は、好ましくは０．５ｋｇ以上１．５ｋｇ以下であり、軽量かつ耐荷重が大きいことが好ましい。
【００６０】
＜複合容器＞
上記した内部容器１００を収容した外装材２００を、複合容器という。複合容器は、ビール、水、ワイン、清涼飲料水等を収容する大型容器として、使用することが可能である。液体充填時の耐荷重性を有しているので、従来ステンレス製の樽に使用されてきた液体充填装置をそのまま使用して、液体を充填することができる。
複合容器は、液体を充填した状態で、複数を重ねて長期間保管することが可能な強度を有している。このため、小さなスペースで多数の容器を保管することが可能である。
【実施例】
【００６１】
本発明の実施例を示すが、本発明はこれに限定されるものではない。
【００６２】
（実施例１）
図２ａ〜図２ｃに示した形状の外装材であって、外筒部の最下部の直径が２３０ｍｍ、面状部に対応する位置の直径が２２０ｍｍ、高さが４５０ｍｍであり、厚みが２．０ｍｍ（外筒部、面状部、リブ、リング状部の厚み）であり、面状部が内部容器の肩部に沿った曲面で、面状部の上面に縦リブを１２本有し、面状部の縮径方向端部に有するリング状部の垂直方向長さが１０ｍｍである構造を一度に射出成形して、外装材を得た。
【００６３】
プラスチック材料としては、ポリプロピレン樹脂（実施例１−ＰＰ）、ポリカーボネート樹脂（実施例１−ＰＣ）、グラスファイバー３０質量％充填のポリプロピレン樹脂（実施例１−ＰＰ＋Ｇｆ３０％）を使用して、それぞれ、上記形状の外装材を製造した。
ＰＰは引張弾性率（Ｅ）が１４５０ＭＰａ、引張降伏応力（δ）が２９ＭＰａであり、ＰＣは引張弾性率（Ｅ）が２３００ＭＰａ、引張降伏応力（δ）が６０ＭＰａであり、ＰＰ＋Ｇｆ３０％は引張弾性率（Ｅ）が６２００ＭＰａ、引張降伏応力（δ）が９３ＭＰａである。
【００６４】
（実施例２）
実施例１において、面状部の上側に、さらに、円状リブを２本形成し、リング状部の垂直方向長さを４ｍｍとした以外は、実施例１と同様にして外装材を製造した。
プラスチック材料としては、ＰＰを使用した場合を「実施例２−ＰＰ」、ＰＣを使用した場合を「実施例２−ＰＣ」、ＰＰ＋Ｇｆ３０％を使用した場合を「実施例２−ＰＰ＋Ｇｆ３０％」とする。
【００６５】
（実施例３）
実施例１において、面状部を平面状とし、該平面状リブの下側に縦リブを１２本形成し、かつ、下側に円状リブを２本形成し、リング状部の垂直方向長さを４ｍｍとした以外は、実施例１と同様にして外装材を製造した。なお、面状部の下面に形成した縦リブの下端は、内部容器の肩部の形状に沿ったものとした。
プラスチック材料としては、ＰＰを使用した場合を「実施例３−ＰＰ」、ＰＣを使用した場合を「実施例３−ＰＣ」、ＰＰ＋Ｇｆ３０％を使用した場合を「実施例３−ＰＰ＋Ｇｆ３０％」とする。
【００６６】
（実施例４）
実施例１において、面状部を平面状とし、該平面状リブの下側に縦リブを１２本形成し、リング状部の垂直方向長さを４ｍｍとした以外は、実施例１と同様にして外装材を製造した。なお、面状部の下面に形成した縦リブの下端は、内部容器の肩部の形状に沿ったものとした。
プラスチック材料としては、ＰＰを使用した場合を「実施例４−ＰＰ」、ＰＣを使用した場合を「実施例４−ＰＣ」、ＰＰ＋Ｇｆ３０％を使用した場合を「実施例４−ＰＰ＋Ｇｆ３０％」とする。
【００６７】
実施例１〜４の外装材の重量は、ポリプロピレン樹脂を用いた場合は約０．７ｋｇ、ポリカーボネート樹脂を用いた場合は約１．０ｋｇ、グラスファイバー３０質量％充填のポリプロピレン樹脂を用いた場合は約１．０ｋｇであった。
【００６８】
（評価方法）
上記にて作製した外装材に、図２ａに示した形状を有する空の内部容器（胴部外径：２１０ｍｍ、全長：４２５ｍｍ）を収容し、ストッパーにて固定した。これを図１に示す液体充填装置に設置して、上側からクランプにより１０００Ｎ、２０００Ｎの荷重をかけた。
表１に結果を示した。上段が荷重を負荷した際の面状部の最大応力、下段が面状部の垂直変位量である。外装材の面状部付近が、荷重が最もかかり変形・損壊し易い箇所であるので、表１の使用可否の欄では、面状部の最大応力が、使用した各材料物性の引張降伏応力未満の場合を「可」とし、引張降伏応力以上の場合を「否」と表示した。
【００６９】
【表１】
2020121738.tif 000003
【００７０】
実施例１の外装材の構造では、ＰＰ、ＰＣ、ＰＰ＋Ｇｆ３０％の材料の場合とも、耐荷重２０００Ｎ以上であった。すなわち、成形性や価格の点で使用材料として好ましいＰＰの場合においても、十分な耐荷重性があり、有効な構造であることが解る。
実施例１に比べ円状リブが加わるがリング状部の垂直方向長さの短い実施例２の構造では、ＰＣ、ＰＰ＋Ｇｆ３０％の場合は耐荷重２０００Ｎ以上、他に比べて引張弾性率の低いＰＰの場合は耐荷重１０００Ｎ以上２０００Ｎ未満であった。更に、面状部が平面状で縦リブを面状部の下面に形成した実施例３の構造では、引張弾性率の高いＰＰ＋Ｇｆ３０％の場合に耐荷重２０００Ｎ以上、ＰＣの場合に耐荷重１０００Ｎ以上、ＰＰの場合に耐荷重１０００Ｎ未満であった。実施例３に比べ円状リブのない実施例４の構造では、ＰＣとＰＰ＋Ｇｆ３０％の場合に耐荷重１０００Ｎ以上であった。
【符号の説明】
【００７１】
１０：樽
２０：クランプ
１００：内部容器
１２０：首部
２００：外装材
２２０：外筒部
２２２：下部外筒部
２２４：上部外筒部
２４０：面状部
２４２：リング状部
２４４：縦リブ
２７０：開口
２８０：受け部
２９０：持ち手
３００：ストッパー
【図１】
2020121738.tif 000004
【図２ａ】
2020121738.tif 000005
【図２ｂ】
2020121738.tif 000006
【図２ｃ】
2020121738.tif 000007